(57)【要約】【課題】  表面に突起物を設けず、外観をすっきりさせたデザインを実現できる携帯端末を得る。【解決手段】  可撓性を有して折り曲げ可能であり、２つの筐体１、２を所定間隔離間して連結するとともに、折り曲げ状態から開放状態に戻る復元力を有し、かつ２つの筐体１、２間を電気的に接続する連結装置３を備え、この連結装置３の近傍に、ストラップ４１の巻着紐４３を取り付けるストラップ取付手段（取付環４９）を設けた。【選択図】図１
2006019921.tif 000002
【特許請求の範囲】
【請求項１】
可撓性を有して折り曲げ可能であり、２つの筐体を所定間隔離間して連結するとともに、折り曲げ状態から開放状態に戻る復元力を有し、かつ前記２つの筐体間を電気的に接続する連結装置を備え、
該連結装置の近傍に、ストラップの巻着紐を取り付けるストラップ取付手段が設けられたことを特徴とする携帯端末。
【請求項２】
前記連結装置の近傍が、折り曲げ側となる前記連結装置の内面と、前記連結装置を挟んで対面する前記２つの筐体の一対の対向面とであることを特徴とする請求項１記載の携帯端末。
【請求項３】
前記連結装置に、前記巻着紐を取り付けるストラップ取付手段が設けられたことを特徴とする請求項１記載の携帯端末。
【請求項４】
前記ストラップ取付手段が、前記２つの筐体の対向面のうち、いずれか一方の筺体の対向面から該筺体の側面に貫通する挿通孔であることを特徴とする請求項２記載の携帯端末。
【請求項５】
前記ストラップ取付手段が、前記連結装置の近傍と、前記２つの筐体の一対の対向面のうちいずれか一方の筺体の対向面に平行な該筺体の開閉外端面との二箇所に設けられたことを特徴とする請求項１記載の携帯端末。
【請求項６】
折り曲げ状態から開放状態に戻る復元力を有した連結装置によって所定間隔離間して連結される２つの筐体の裏面を前記連結装置と共に覆う携帯端末用カバーであって、
前記連結装置を覆う部位に、ストラップの巻着紐を取り付けるストラップ取付手段が設けられたことを特徴とする携帯端末用カバー。
【発明の詳細な説明】
【技術分野】
【０００１】
本発明は、２つの筐体が折曲可能に連結されて開閉される携帯端末及びそれに用いる携帯端末用カバーに関する。
【背景技術】
【０００２】
近年、携帯電話機が多数開発され使用されているが、この携帯電話機には、単純な棒状を呈するストレート型のほかに、ヒンジ部を介して開閉可能な折畳型も各種開発されている。
折畳型携帯電話機は、表示部を有する上筐体と、操作部を有する下筐体と、表示部と操作部とが対面するように上下の筐体を開閉可能に連結するヒンジ部とを具備しており、ヒンジ部の軸心を中心に上下の筐体が相対的に回動して折畳まれる構造となっている。
他方、表示部を有する上筐体と操作部を有する下筐体とを連結する連結部が、上下の筐体の厚さよりも薄い折曲可能な帯状に形成された携帯電話機（以下、これを「折曲型携帯電話機」とよぶ）も提案されている（例えば、特許文献１参照）。この折曲型携帯電話機は、折畳型携帯電話機がヒンジ部を介して開閉可能とされるのに対し、帯状連結部の可撓性を利用して折り曲げ可能とされる点で折畳型携帯電話機と異なる。
【０００３】
【特許文献１】意匠登録第１１６１５７２号公報
【発明の開示】
【発明が解決しようとする課題】
【０００４】
ストレート型携帯電話機、折畳型携帯電話機、或いは折曲型携帯電話機は、いずれの場合も手提げ紐として用いられるストラップを備えている。しかしながら、ストラップの巻着紐を取り付けるストラップ取付手段は、一般的に携帯端末本体部の表面に露出して設けられるため、見栄えが低下し、特にストラップ取付手段が突起物であれば、見栄えの低下が顕著になるとともに、他のものに衝突し易くなる問題が生じた。また、折曲型携帯電話機の場合、折り曲げ状態から復元力によって２つの筐体が開放されるので、いずれか一方の筺体開閉端にストラップが取り付けられていると、ストラップ取付手段を中心とした開閉半径が展開全長となり、展開時のバタツキが大きくなる不利があった。さらに、折曲型携帯電話機の場合、折り曲げ部分に未利用の有効空間が生じた。
本発明は上記状況に鑑みてなされたもので、その第一の目的は、表面に突起物を設けず、外観をすっきりさせたデザインを実現できる携帯端末を得ることにある。また、その第二の目的は、展開時のバタツキを少なくすることができる携帯端末及びそれに用いる携帯端末用カバーを得ることにある。さらに、その第三の目的は、折り曲げられた際に生じる未利用の空間が有効利用される携帯端末を得ることにある。
【課題を解決するための手段】
【０００５】
上記目的を達成するための本発明に係る請求項１記載の携帯端末は、可撓性を有して折り曲げ可能であり、２つの筐体を所定間隔離間して連結するとともに、折り曲げ状態から開放状態に戻る復元力を有し、かつ前記２つの筐体間を電気的に接続する連結装置を備え、該連結装置の近傍に、ストラップの巻着紐を取り付けるストラップ取付手段が設けられたことを特徴とする。
【０００６】
この携帯端末では、ストラップ取付手段が連結装置の近傍に設けられ、表面に突起物を設けずに済む。また、折曲型携帯電話機の場合、折り曲げ状態から連結装置の復元力によって２つの筐体が開放されるので、いずれか一方の筺体開閉端にストラップが取り付けられていると、開閉の際、ストラップ取付手段を支持中心とした開閉半径が展開全長となり、展開時にバタツキが生じる。これに対し、本発明に係る携帯端末では、ストラップ取付手段が連結装置の近傍に設けられるので、開閉半径が展開全長の半分となり、展開時のバタツキが少なくなる。
【０００７】
請求項２記載の携帯端末は、前記連結装置の近傍が、折り曲げ側となる前記連結装置の内面と、前記連結装置を挟んで対面する前記２つの筐体の一対の対向面とであることを特徴とする。
【０００８】
この携帯端末では、連結装置の近傍が、折り曲げ側となる連結装置の内面と、連結装置を挟んで対面する２つの筐体の一対の対向面となることで、連結装置が折り曲げられた際に生じる未利用の空間が有効利用される。
【０００９】
請求項３記載の携帯端末は、前記連結装置に、前記巻着紐を取り付けるストラップ取付手段が設けられたことを特徴とする。
【００１０】
この携帯端末では、ストラップ取付手段が携帯端末の折り曲げ中心に配置可能となる。
【００１１】
請求項４記載の携帯端末は、前記ストラップ取付手段が、前記２つの筐体の対向面のうち、いずれか一方の筺体の対向面から該筺体の側面に貫通する挿通孔であることを特徴とする。
【００１２】
この携帯端末では、筐体の一部分を貫通してストラップ取付手段が高強度に形成され、肉厚が薄い連結装置や、布地の携帯端末用カバーにストラップ取付手段が設けられた場合に発生し易い、強く引っ張られたときの破損が生じ難くなる。
【００１３】
請求項５記載の携帯端末は、前記ストラップ取付手段が、前記連結装置の近傍と、前記２つの筐体の一対の対向面のうちいずれか一方の筺体の対向面に平行な該筺体の開閉外端面との二箇所に設けられたことを特徴とする。
【００１４】
この携帯端末では、連結装置の近傍に設けられたストラップ取付手段に保持紐の一端が取り付けられるとともに、一方の筺体の対向面に平行な当該筺体の開閉外端面に保持紐の他端が取り付けられ、折り曲げられた携帯端末の両端が一本の保持紐に支持され、小型ハンドバック状となり、携帯端末の斬新な保持スタイルが可能となる。
【００１５】
請求項６記載の携帯端末用カバーは、折り曲げ状態から開放状態に戻る復元力を有した連結装置によって所定間隔離間して連結される２つの筐体の裏面を前記連結装置と共に覆う携帯端末用カバーであって、前記連結装置を覆う部位に、ストラップの巻着紐を取り付けるストラップ取付手段が設けられたことを特徴とする。
【００１６】
この携帯端末用カバーでは、携帯端末の展開時におけるバタツキを少なくすることが可能となる。すなわち、折曲型携帯電話機の場合、折り曲げ状態から連結装置の復元力によって２つの筐体が開放されるので、いずれか一方の筺体開閉端にストラップが取り付けられていると、開閉の際、ストラップ取付手段を支持中心とした開閉半径が展開全長となり、展開時にバタツキが生じる。これに対し、本発明に係る携帯端末用カバーでは、ストラップ取付手段が連結装置を覆う部位に設けられることで、開閉半径が展開全長の半分となり、展開時のバタツキが少なくなる。また、携帯端末の本体部にストラップ取付手段を設ける必要がなくなる。
【発明の効果】
【００１７】
本発明に係る携帯端末によれば、連結装置の近傍に、ストラップの巻着紐を取り付けるストラップ取付手段が設けられているので、表面に突起物を設けずに済み、外観をすっきりさせたデザインを実現できる。また、折曲型携帯電話機の場合、折り曲げ状態から連結装置の復元力によって２つの筐体が開放されるので、いずれか一方の筺体開閉端にストラップが取り付けられるよりも、ストラップ取付手段を中心とした開閉半径が展開全長の半分となり、展開時のバタツキを少なくすることができる。
【００１８】
本発明に係る携帯端末用カバーによれば、連結装置を覆う部位に、ストラップの巻着紐を取り付けるストラップ取付手段が設けられているので、いずれか一方の筺体開閉端側にストラップが取り付けられるよりも、ストラップ取付手段を中心とした開閉半径が展開全長の半分となり、展開時のバタツキを少なくすることができる。また、携帯端末の本体部にストラップ取付手段を設ける必要がないので、携帯端末本体部のコストを安価にできる。
【発明を実施するための最良の形態】
【００１９】
以下、本発明に係る携帯端末及びそれに用いる携帯端末用カバーの好適な実施の形態を図面を参照して説明する。
図１は本発明に係る携帯端末の外観を示す斜視図、図２は図１の分解斜視図、図３は図１の本体部を裏面から見た斜視図、図４は（ａ）に本発明に係る携帯端末の開いた状態の本体部及びこれに設けた連結装置を示し、（ｂ）にその本体部が閉じた状態を示す説明図、図５は本発明に係る携帯端末を開いたときの中央断面図である。
本実施の形態に係る携帯端末（折曲型携帯電話機）１００は、大略構成として、本体部Ａと、本体部Ａの外面に設けられるファッションカバーＢとから構成される。
【００２０】
本体部Ａは、図１に示すように、上筐体１及び下筐体２からなる筐体と、これら上下の筐体１、２を固設し、これら上下の筐体１、２の間で折り曲り可能な連結装置３とを備えている。
【００２１】
このうち、上筐体１は、第１の音声出力部である受話部（レシーバ）１１と、第２の音声出力部であるスピーカ１２（図５参照）と、表示部１３と、永久磁石１４と、第１プリント基板１５（図５参照）などを収容している。なお、第１プリント基板１５には、表示部１３を構成するＬＣＤ等が設けられている。
【００２２】
一方、下筐体２には、送話部（マイクロフォン）２１と、操作部２２と、バイブレータ部２３（図５参照）と、カメラ部２４（図５参照）と、ホール素子２５と、着脱可能な電池２６（図５参照）と、第２プリント基板２７（図５参照）などを収容している。なお、第２プリント基板２７は、送受信部、データ変換部、音声処理部、画像処理部、情報記録部及び制御部などを実装している。
【００２３】
連結装置３は、折曲可能な連結部を挟んで上下の筐体１、２を固設するものであり、主に、シート状部材と屈曲性部材とで構成されており、アンテナ３４（図４参照）と、可撓性配線部材（例えば、フレキシブル基板など）３５とを収容している。
【００２４】
連結装置３は、上筐体１の下側端面側と下筐体２の上側端面側とを連結するものであり、この連結装置３の屈曲動作により連結部３Ａで、図１の矢印Ｐ方向及びその反対方向に折曲可能となる。つまり、不使用時には、図４（ｂ）に示すように、本体部Ａが閉じた状態、すなわち、上筐体１が下筐体２と対面（対向）する状態に折り曲げられる。他方、使用時には、図４（ａ）に示すように、使用者の顔が上筐体１と下筐体２に対面するように本体部Ａが開かれる。
【００２５】
受話部であるレシーバ１１は、本体部Ａを閉じた時に下筐体２と対面する上筐体１の主面１Ａに設けられ、この主面１Ａから音声が出力するように配設されている。本実施の形態に係る折曲型携帯電話機１００を通常使用するときには、通信相手の音声を出力するものである。一方、図５に示したスピーカ１２は、上筐体１の主面１Ａとは反対側の裏面１Ｂに設けられており、メールや電話の待ち状態のようなときには、この裏面１Ｂから着信音が出力されるように配設されている。
【００２６】
送話部のマイクロフォン２１と操作部２２は、本体部Ａが閉じた状態のときに上筐体１の主面１Ａと対向する下筐体２の主面２Ａに設けられている。バイブレータ部２３は、着信時に起振することにより着信を振動で報知するものである。
【００２７】
カメラ部２４は、下筐体２の主面２Ａとは反対側の裏面２Ｂに、下筐体２に対して着脱可能な電池２６と併設して設けられており、操作部２２の後方の被写体が撮像可能になっている。カメラ部２４が捉えた被写体からの入射光は、レンズ群を通過してＣＣＤ（電荷結合素子）などの光電変換素子にて光信号から電気信号に変換され、画像情報が生成される。この画像情報は、画像処理部にて処理された後、表示部１３に画像を生成する。
【００２８】
ホール素子２５は、筐体用永久磁石１４の磁界を検出する手段とされ、本体部Ａが閉じた状態のときには筐体用永久磁石１４と対向するように、第２プリント基板２７上に設けられている。このホール素子２５は、本体部Ａが閉じられた閉状態では、筐体用永久磁石１４が近接状態にあるため、筐体用永久磁石１４の磁界を検出して制御部に検出信号を出力する。また、このホール素子２５は、本体部Ａが開状態であれば筐体用永久磁石１４が離間するので、この筐体用永久磁石１４の磁界を検出できないため、ホール素子２５は検出信号を生成しない。
【００２９】
すなわち、ホール素子２５が筐体用永久磁石１４を検出すると本体部Ａは閉じた状態であり、検出できなければ開いた状態である。本実施の形態に係る折曲型携帯電話機１００では、筐体が閉じた状態のとき、受信待受け状態であれば表示部１３には何も表示されず、電力が消費されない。また、表示部１３を照明する照明手段（図示せず）も発光しない。開いた状態であれば、受信電界強度を示すマーク、電池残容量情報、時刻情報や着信情報等が表示されるとともに、照明手段による照明が行われる。
【００３０】
連結装置３は、本体部Ａが閉じられるときには屈曲し、本体部Ａが開かれるときには屈曲状態が解除されるものであり、可撓性を有し、中央部の連結部３Ａを隔てて上下２つの筐体１、２を固設するシート状部材と、折り曲げるとフラットな状態（折り曲げる前の状態）に戻る復元力と剛性を有し、上下２つの筐体１、２を固設する屈曲性部材とを備えている。連結装置３は、図５に示すように、第１連結部材３１と、第２連結部材３２と、第３連結部材３３とから構成されている。このうち、第１連結部材３１と第３連結部材３３がシート状部材を構成するとともに、第２連結部材３２が屈曲性部材を構成している。
【００３１】
第１連結部材３１は、上筐体１の主面１Ａ及び下筐体２の主面１Ｂと同じ向きの面を構成するのと同時に、上筐体１の外表面と下筐体２の外表面を一体的に形成する（上下筐体１、２の外表面を兼用する）。第２連結部材３２は、上筐体１から下筐体２に跨って設けられ、可撓性と剛性を有する薄板状の鋼材（炭素工具鋼鋼材やステンレス鋼等）で形成してある。第３連結部材３３は、下筐体２の裏面２Ｂを一体に連結するとともに、第２連結部材３２や可撓性配線部材３５を覆い隠すようにして第１連結部材３１に取付けられる。
【００３２】
なお、第１連結部材３１と第３連結部材３３とは、熱可塑性ポリエステル・エーテル・エラストマやポリウレタン樹脂など可撓性を有する適宜の材料で形成してある。また、この第１連結部材３１と第３連結部材３３を形成する材料は、上述した材料に限るものではなく、可撓性や弾性を有する材料でシート状に形成すればよい。
【００３３】
第１連結部材３１で構成する上下の筐体１、２の主面１Ａ、２Ａの内面側は、主面１Ａ、２Ａの形成材料とは異なるＡＢＳ樹脂などの別の材料を用いて内面部１Ｃ、２Ｃを形成してある。すなわち、異種材料で一体的に形成される異材質成形法（例えば、インサート成形など）によって、上筐体１及び下筐体２を一体的に構成する。本実施の形態では、熱可塑性ポリエステル・エーテル・エラストマで成形される上筐体１及び下筐体２の外表面（実際には、第１連結部材３１で構成している）１Ａ、２Ａと、ＡＢＳ樹脂で成形される窓枠部１３Ａとを一体的に形成している。
【００３４】
第２連結部材３２は、図４に示すように、上筐体１から下筐体２に向かって直線状に延設されており、その断面形状は、薄板が幅Ｗ１、曲率Ｒ２の円弧状に形成されている。なお、曲率Ｒ２の中心は、上筐体１の主面１Ａ側（または下筐体２の主面２Ａ側）にあり、この中心を点Ｏで示す。
【００３５】
図４（Ａ）に示すように、本体部Ａの連結装置３が開いた状態では、第２連結部材３２は曲率Ｒ２の断面円弧状が片端から他端まで維持されながら上筐体１から下筐体２に向かって直線状に延在しており、安定した状態が保持されている。ここで、この本体部Ａの連結装置３が開いた状態（図１の状態）から、さらに開放（拡開）させるために矢印Ｐとは反対方向へ曲げようとしても、湾曲状態が形成されているときには、この湾曲状態を解除させようとする（本体部Ａをフラットな開放状態からさらに開放する）方向への剛性が高められており、開放状態を保持しようとする力（以下、これを「湾曲保持力」とよぶ）が発生している。従って、本体部Ａを開放上体からさらに開放させる方向、つまり凹状の湾曲面（負曲面）方向とは反対の凸状の背曲面（正曲面）方向への開放に要する力（逆曲力）は、Ｐ方向へ本体部を閉じるのに要する力（折曲力）に比べて格段と大きいので、曲がりづらい。この曲がりづらさは、第２連結部材３２の固定方法や断面２次モーメント、ヤング率等から決定される。
【００３６】
一方、逆に、所定以上の力で矢印Ｐ方向（図５参照）へ曲げると、第２連結部材３２の中央部は、飛び移り現象によって本体部Ａの連結装置３が閉じる方向へ曲がるが、塑性変形はせず、加えた力を排除すると復元力で元のフラットな開放状態に復帰して、本体部Ａの連結装置３は開かれた状態に戻る。すなわち、第２連結部材３２は、本体部Ａが開かれた状態から矢印Ｐ方向への容易な曲げ動作がおこなわれるのを防止する手段としても機能する。
【００３７】
したがって、本体部Ａを開いているときには、第１、第２、第３連結部材３１〜３３がストレート（真直）な開放状態となり、第２連結部材３２の剛性によってこの状態が維持される。下筐体２を手に持ったときには上筐体１が開放状態を保持して静止しており、矢印Ｐ方向には曲がらず、またその反対方向へは垂れ下がらない。しかも、本体部Ａを閉じるときには容易に閉じることができる。
【００３８】
次に、ファッションカバーＢについて説明する。
ファッションカバーＢは、基材であるベース部材４Ａ（図５参照）と、ベース部材４Ａの外表面を覆い、綿や麻などの天然繊維、アクリルやナイロン、ウレタンなどからなる合成繊維や革部材など、ファッション性に富んだ材料（外皮）からなる外観部４Ｂと、同様な材料をベース部材４Ａの外周面に、外観部４Ｂと連設した縁巻き部４Ｃとで構成されている。
【００３９】
ベース部材４Ａは、熱可塑性ポリエステル・エーテル・エラストマやポリウレタン樹脂など可撓性を有する適宜の材料で形成されている。ベース部材４Ａの内面には、上筐体１の裏面１Ｂを形成する上筐体裏面部（裏面）４Ｄと、電池２６を覆う電池カバー部４Ｅとが、ＡＢＳ樹脂で一体的に形成されている。すなわち、ベース部材４Ａも異材質成形を用いている。また、ベース部材４Ａの裏面が上下の筐体１、２に装着されたときに該筐体１、２の外形より外側に突出する屈曲可能な突出部を形成するために、中央には湾曲部４Ｆが設けられている。
【００４０】
上筐体裏面部４Ｄには下穴３３２Ｂが設けられ、上筐体１に対してタッピンねじ２９によって螺着される。ファッションカバーＢは、ベース部材４Ａの例えば電池カバー部４Ｅに形成された係合部としての係合爪４Ｇが下筐体２に形成された引掛け爪２Ｄに対して着脱可能に装着される。本体部Ａに対してベース部材４Ａの内面側が取付けられると、連結部３Ａに対して湾曲部４Ｆが離間するようになっている。
【００４１】
ベース部材４Ａの外表面に設けられる外観部４Ｂ（外皮）は、ベース部材４Ａに対して外皮４Ｂが移動するのを防止するために、予めベース部材４Ａに対して外皮４Ｂを接着固定して位置決めが行われる。次にベルト部材６を糸でベース部材４Ａとともに外皮４Ｂに縫製し、次に縁巻き部４Ｃを糸５Ｂでベース部材４Ａとともに外皮４Ｂに縫製する。縁巻き部４Ｃを縫製するときには、ミシンによる素材押さえ、素材送りのため、ベース部材４Ａの端面から所定の距離だけ平坦部が確保されている。
【００４２】
外観部４Ｂには、スピーカ１２から出力された音声を通過させる第１開口孔４Ｈや、カメラ部２４の前方を開口した第２開口孔４Ｊが設けられている。外皮４Ｂは、前述したように、ベース部材４Ａに貼り付けられた後に縫製される。縫製前に貼り付けることで、縫製位置を安定させ、また、把持したときにベース部材４Ａに対して外観部の移動（ズレ）を防止するので、把持時のズレによってカメラ部２４を覆ってしまうことで撮影ができなることを防止したり、持つ手に違和感を感じさせずに済む。
【００４３】
また、このファッションカバーＢの外観部４Ｂの一端側（電池カバーの裏面側近傍）には、一端が縫製され他端には中央に凸部６Ａが形成された磁性体の金具６Ｂが設けられたベルト部材６が取付けられている。また、外観部４Ｂの他端側（レシーバの裏面近傍側）には、内部に第２永久磁石４Ｋ（図５参照）を有し中央に凹部４Ｌが形成された係合部４Ｍが設けられている。
【００４４】
これにより、本体部Ａを閉じた時、ベルト部材６を折り曲げて外観部４Ｂの他端部寄りに設けた係合部４Ｍに金具６Ｂを吸着させて係合させることができる。このとき、縁巻き部４Ｃが本体部Ａに近接する方向へ倒れ、ベルト部材６が折り曲げられながらも張架して、金具６Ｂと係合部４Ｍが係合し、本体部Ａが略密着するように閉じられる。
【００４５】
このようにして、本体部Ａを閉じたときには、第２連結部材３２の戻り力Ｆ２により本体部Ａが開こうとするが、金具６Ｂが係合部４Ｍに係合することで、本体部Ａに戻り力Ｆ２が作用していても本体部Ａが開かれることを防止することができる。
【００４６】
なお、金具６Ｂと係合部４Ｍの係合を解除する時は、ベルト部材６の先端を引き上げるようにするとよい。すなわち、凹部４Ｌに嵌った凸部６Ａを抜くような力を加えると、簡単に係合が解除される。係合した状態で本体部Ａに戻り力Ｆ２が作用しているときには、凸部６Ａは凹部４Ｌの半径方向に寄せられるだけなので、容易には抜けない。この第２連結部材３２の戻り力Ｆ２は、本体部Ａを閉じた状態で上筐体１又は下筐体２自身の自重よりも小さく設定することで、ベルト部材６を用いなくても、折り曲げ状態を保持できるように構成してもよい。
【００４７】
また、ベルト部材６の金具６Ｂに凹部４Ｌを設け、外観部４Ｂの他端側に凸部６Ａを設けて、両者を磁力により吸着係合させるようにしてもよい。
【００４８】
ここで、図３及び図５を用いて、ファッションカバーＢを本体部Ａに装着するときの動作について説明する。
同図に示すように、まず、初めに、ファッションカバーＢの上筐体裏面部４Ｄに本体部Ａの上筐体１を組付ける。次に、ファッションカバーＢの湾曲部４Ｆが略平坦になるように矢印Ｔ方向へ引く。矢印Ｔ方向へ引張った状態を２点鎖線で示す。ファッションカバーＢの電池カバー部４Ｅに形成された係合爪４Ｇを本体部Ａに形成された引掛け爪２Ｄに引掛けながら、ファッションカバーＢを矢印Ｔ方向とは反対方向へ移動させると、係合爪４Ｇと引掛け爪２Ｄが係合して、本体部Ａに対してファッションカバーＢの装着が完了する。
【００４９】
他の方法として、ファッションカバーＢの上筐体裏面部４Ｄに本体部Ａの上筐体１を組付けた後、本体部Ａを矢印Ｐ方向へさらに拡開させることで、ファッションカバーＢが矢印Ｔ方向へ移動させるだけの余長が生じる。後は、前述したように、係合爪４Ｇを本体部Ａに形成された引掛け爪２Ｄに引掛けながらファッションカバーＢを矢印Ｔ方向とは反対方向へ移動させると、係合爪４Ｇと引掛け爪２Ｄが係合して、本体部Ａに対してファッションカバーＢの装着が完了する。
【００５０】
このように、ファッションカバーＢに湾曲部４Ｆを設けたり、連結装置３を拡開させることにより、本体部Ａに対してファッションカバーＢを簡単に着脱可能にする。しかも、その操作方法は極めて簡単である。
【００５１】
また、本実施形態によれば、第１連結部材３１は、上筐体１と下筐体２を連続的に繋げた構成としたので、上下の筐体１、２に一体感を備えさせることができる。また、ファッションカバーＢを上筐体１に対して着脱できる構成（電池カバー部と同様な構成）にすれば、使用者は好みに応じてファッションカバーＢを自由に交換することも可能なので、使用者の好みに応じた個性的な折曲型携帯電話機１００を提供できる。また、勿論、ファッションカバーＢが汚れた際には交換して洗濯などもできるので、常に新鮮さ清潔さを維持できる。
【００５２】
図６は連結装置の近傍を表した要部斜視図、図７はストラップが取り付けられた折り曲げ状態の折曲型携帯電話機を表す斜視図および変形例を表す斜視図、図８は連結装置にストラップを巻回して取り付けた折曲型携帯電話機の展開状態の斜視図である。
ところで、折曲型携帯電話機１００には図１に示したストラップ４１が取り付けられている。ストラップ４１は、折曲型携帯電話機１００に取り付ける巻着紐４３の両端と、手で保持するための保持紐４５の両端とを束ねて止具４７により固定し、巻着紐４３と保持紐４５とが大小二つの環状に形成される。
【００５３】
一方、連結装置３の近傍には、ストラップ４１の巻着紐４３を取り付けるためのストラップ取付手段（取付環）４９が設けられている。取付環４９は、例えば布材等の可撓性を有する長片材の両端を連結部３Ａに固着することで、巻着紐４３の挿通環部５１を形成してなる。
【００５４】
ストラップ４１は、一端側の巻着紐４３を取付環４９に挿通し、その巻着紐４３の環状部に、他端側の保持紐４５を挿通することにより、巻着紐４３が取付環４９に巻着されて取り付けられる。これにより、ストラップ４１は、巻着紐４３を介して折曲型携帯電話機１００に取り付けられ、保持紐４５の環状部５３に、指或いは手首を掛けることにより、折曲型携帯電話機１００を吊り下げて保持できるようになっている。
【００５５】
ここで、連結装置３の近傍とは、図６に示すように、折り曲げ側となる連結装置の内面３ａと、連結装置３を挟んで対面する２つの筐体１、２の一対の対向面１ａ、２ａとを言う。このように、連結装置３の近傍が、連結装置３の内面３ａと、２つの筐体１、２の一対の対向面１ａ、２ａとなることで、連結装置３が折り曲げられた際に生じる未利用の空間５５（図７（Ａ）参照）が有効利用されることになる。
また、取付環４９は、連結装置３の近傍のうち、特に図１に示したように連結装置３に設けられれば、折曲型携帯電話機１００の折り曲げ中心に配置することが可能となる。このように、折り曲げ中心に取付環４９が配置されていれば、取付環４９に巻着したストラップ４１を保持することで、折曲型携帯電話機１００をバランスよく吊下げることができる。
【００５６】
さらに、ストラップ４１は、図８に示すように、巻着紐４３を長く形成し、連結装置３の外周に巻きつけるようにして取り付けられるものであってもよい。この場合、ストラップ４の巻着紐４３によって形成される環状部４３ａは、連結装置３の外周に巻きつけ可能な大きさを有し、かつ筐体１、２の通過を阻止する大きさに形成される。これにより、特別な取付環４９を設けることなく、環状部４３ａから筐体１、２が通過しないようにして、ストラップ４１を連結装置３に巻着することができる。
【００５７】
なお、本実施形態では、連結装置３に取付環４９が固着される場合を例を説明したが、ストラップ取付手段は、この他、連結装置３に穿設される図示しない巻着穴であってもよい。この場合、巻着穴にハトメを取付けて強度を高め、当該巻着穴からの破れを防止することが好ましい。
【００５８】
次に、本実施形態の折曲型携帯電話機１００の動作について詳細に説明する。
上述のように構成された本実施形態の折曲型携帯電話機１００にあっては、普段使用しないときには、ベルト部材６で閉止することで上筐体１と下筐体２とが閉じて連結部３Ａで折れ曲がった状態を保持するが、使用するために、ベルト部材６の金具６Ｂと係合部４Ｍとの係合状態を解除すると、第２連結部材３２の戻り力Ｆ２により本体部Ａが開かれて略フラットな状態に戻って静止し、この開放状態が第２連結部材３２の湾曲保持力（作用）によって安定的に保持される。
【００５９】
一方、非使用時（受信待受け状態）には、本体部Ａに閉鎖力Ｆ１以上の閉じる力を与えて上筐体１の主面１Ａと下筐体２の主面２Ａを対面させ、ベルト部材６の金具６Ｂを係合部４Ｍに係合させて、本体部Ａを閉じた状態にすることができる。この本体部Ａが閉じられた状態では、ファッションカバーＢの湾曲部４Ｆが第３連結部材３３に近接しながら小さく折り曲げられ、しかも、縁巻き部４Ｃが上、下筐体１、２へ近づく方向に倒れているので、上下筐体１、２の主面１Ａ、２Ａに対して垂直方向に関する投影面積が最小となり、携帯性に好適となる。
【００６０】
また、この本体部Ａが閉じた状態では、第３連結部材３３の最肉薄部（凹部）３３Ｂが拡開し（図５参照）、連結部３Ａに対応する第２連結部材３２の中央部が平坦化する。このとき、第３連結部材３３の最肉薄部３３Ｂには、この部分の拡開状態を解消しようとする力が作用し、第２連結部材３２の中央部には平坦状から湾曲状に戻ろうとする力が作用し続けているが、前述したように、ファッションカバーＢの第１連結部材３１のベルト部材６に設けた金具６Ｂを係合部４Ｍに係合させることで、閉じられた状態が維持される。
【００６１】
そして、取付環４９が連結装置３の近傍に設けられることで、表面にストラップ取付手段である突起物等を設けずに済む。また、折曲型携帯電話機１００の場合、折り曲げ状態から連結装置３の復元力によって２つの筐体１、２が開放されるので、いずれか一方の筺体開閉端にストラップ４１が取り付けられていると、開閉の際、取付環４９を支持中心とした開閉半径が展開全長となり、展開時にバタツキが生じる。これに対し、本発明に係る折曲型携帯電話機１００では、取付環４９が連結装置３の近傍に設けられるので、開閉半径が展開全長の略半分となり、展開時のバタツキが少なくなる。
【００６２】
したがって、本実施形態による折曲型携帯電話機１００によれば、連結装置３の近傍に、ストラップ４１の巻着紐４３を取り付ける取付環４９が設けられているので、表面に突起物を設けずに済み、外観をすっきりさせたデザインを実現できる。また、いずれか一方の筺体開閉端にストラップ４１が取り付けられるよりも、展開時のバタツキを少なくすることができる。
なお、図７（Ｂ）に示すように、取付環４９は、連結装置３の近傍に２個設けても良い。これによれば、図７（Ｃ）に示すように、各取付環４９にまたがってストラップ４１を架け渡すことにより、小型ハンドバック状の保持スタイルが可能となる。
【００６３】
次に、本発明に係る第２実施形態を説明する。
図９（Ａ）は挿通孔が筐体を貫通して設けられた第２実施形態に係る折曲型携帯電話機の要部斜視図である。
この実施形態による折曲型携帯電話機２００は、ストラップ取付手段である挿通孔６１が、２つの筐体１、２の対向面１ａ、２ａのうち、いずれか一方の筺体（本実施の形態では筺体１）の対向面１ａから、この筺体１の側面１ｂに貫通して設けられている。
したがって、この折曲型携帯電話機２００によれば、肉厚が薄い連結装置３や、布地のファッションカバーＢにストラップ取付手段が設けられた場合に発生し易い、強く引っ張られたときの破損を生じ難くすることができる。
【００６４】
次に、本発明に係る第３実施形態を説明する。
図１０は一方の筐体の両端側に保持紐の両端を取り付けた第３実施形態に係る折曲型携帯電話機の斜視図である。
この実施形態による折曲型携帯電話機３００は、ストラップ取付手段である取付環４９、巻着穴又は挿通孔６１（本実施の形態では取付環４９）が、連結装置３の近傍と、２つの筐体１、２の一対の対向面１ａ、２ａのうちいずれか一方の筺体（本実施の形態では筺体１）の対向面１ａに平行な筺体１の開閉外端面１ｃとの二箇所に設けられている。
したがって、この折曲型携帯電話機３００によれば、連結装置３の近傍に設けられた取付環４９に保持紐４５の一端４５ａが取り付けられるとともに、開閉外端面１ｃに保持紐４５の他端４５ｂが取り付けられ、折り曲げられた折曲型携帯電話機３００の両端が一本の保持紐４５に支持され、図示のように小型ハンドバック状となり、折曲型携帯電話機３００の斬新な保持スタイルが可能となる。
【００６５】
次に、本発明に係る第４実施形態を説明する。
本実施の形態は、図示は省略するが、本体部Ａに被着されるファッションカバーＢに、ストラップ取付手段が設けられる。すなわち、ファッションカバーＢは、連結装置３を覆う部位に、ストラップ取付手段である取付環４９又は巻着穴を備えている。
ストラップ取付手段を備えたこのようなファッションカバーＢが折曲型携帯電話機に被着されることで、上述した効果と同様、展開時におけるバタツキを少なくすることが可能となる。すなわち、ファッションカバーＢの連結装置３を覆う部位に、ストラップ取付手段が設けられているので、いずれか一方の筺体開閉端側にストラップ４１が取り付けられるよりも、ストラップ取付手段を中心とした開閉半径が展開全長の半分となり、展開時のバタツキを少なくすることができる。また、本体部Ａにストラップ取付手段を設ける必要がないので、折曲型携帯電話機のコストを安価にすることができる。
【図面の簡単な説明】
【００６６】
【図１】本発明に係る携帯端末の外観を示す斜視図である。
【図２】図１の分解斜視図である。
【図３】図１の本体部を裏面から見た斜視図である。
【図４】（ａ）に本発明に係る携帯端末の開いた状態の本体部及びこれに設けた連結装置を示し、（ｂ）にその本体部が閉じた状態を示す説明図である。
【図５】本発明に係る携帯端末を開いたときの中央断面図である。
【図６】連結装置の近傍を表した要部斜視図である。
【図７】ストラップが取り付けられた折り曲げ状態の折曲型携帯電話機を表す斜視図および変形例の要部斜視図である。
【図８】連結装置にストラップを巻回して取り付けた折曲型携帯電話機の展開状態の斜視図である。
【図９】挿通孔が筐体を貫通して設けられた第２実施形態に係る折曲型携帯電話機の要部斜視図および変形例の要部斜視図である。
【図１０】一方の筐体の両端側に保持紐の両端を取り付けた第３実施形態に係る折曲型携帯電話機の斜視図である。
【符号の説明】
【００６７】
１、２  筐体
１ａ、２ａ  一対の対向面
１ｂ  側面
１ｃ  開閉外端面
３  連結装置
３ａ  内面
４１  ストラップ
４３  巻着紐
４９  取付環（取付環ストラップ取付手段）
６１  挿通孔（取付環ストラップ取付手段）
１００、２００、３００  折曲型携帯電話機（携帯端末）
Ｂ  携帯端末用カバー
【図１】
2006019921.tif 000003
【図２】
2006019921.tif 000004
【図３】
2006019921.tif 000005
【図４】
2006019921.tif 000006
【図５】
2006019921.tif 000007
【図６】
2006019921.tif 000008
【図７】
2006019921.tif 000009
【図８】
2006019921.tif 000010
【図９】
2006019921.tif 000011
【図１０】
2006019921.tif 000012